(57)【要約】【課題】導入コストを抑えて、搬送物の積み替えを容易にするフォークリフト用ボックスの保持器具を提供する。【解決手段】基台１１の各支持部２１がフォークリフト用ボックス１を支持可能な支持面２１ｄを上部に有し、フォーク２を厚さ方向で保持するフォーク保持用間隙２３を有する。操作部１４がフォーク保持用間隙２３に面した支持部２１の側部から突出し進退可能である。各ストッパ１５が支持部２１の上に載せられたフォークリフト用ボックス１の上縁の拘束位置と開放位置との間で移動可能である。運動伝達部材１６が操作部１４と各ストッパ１５とに接続され、常態で操作部１４がフォーク保持用間隙２３に面した側部から突出しているとき各ストッパ１５を開放位置に位置付け、各操作部１４が付勢力に抗して後退方向に移動するとき各ストッパ１５を拘束位置に位置付ける。【選択図】図１
2005001750.tif 000002
【特許請求の範囲】
【請求項１】
フォークリフトのフォークにより運搬可能なフォークリフト用ボックスの保持器具であって、
基台と１対の側部保持材と操作部と１対のストッパと運動伝達部材とを有し、
前記基台は１対の支持部と連結部とを有し、各支持部はフォークリフト用ボックスを支持可能な支持面を上部に有し前記フォークを互いの間に上方から配置可能な間隔をあけて設けられ、前記支持面と前記連結部との間の各支持部の互いに対向する側に前記フォークを厚さ方向で保持するフォーク保持用間隙を有し、前記連結部は各支持部を連結しており、
各側部保持材は内側に前記フォークリフト用ボックスを配置可能な間隔をあけてそれぞれ各支持部から上方に伸びるよう設けられており、
前記操作部は前記フォーク保持用間隙に面した前記支持部の側部から突出する方向に付勢されて突出し進退可能に設けられており、
各ストッパは前記支持部の上に載せられた前記フォークリフト用ボックスの上縁の拘束位置と開放位置との間で移動可能に互いに対向する位置に設けられ、
前記運動伝達部材は前記操作部と各ストッパとに接続され、常態で前記操作部が前記側部から突出しているとき各ストッパを前記開放位置に位置付け、各操作部が付勢力に抗して後退方向に移動するとき各ストッパを前記拘束位置に位置付ける構成を有することを、
特徴とするフォークリフト用ボックスの保持器具。
【請求項２】
前記フォークリフト用ボックスは底板と側板とを有し、前記底板に前記側板側からフォークリフトのフォークを挿入可能に前記側板側に開放した支持溝を有し、
各支持部の間隔は前記支持面に前記フォークリフト用ボックスを載せたとき前記支持溝から前記フォークを前記支持面より低い位置まで下げて配置可能な間隔で形成され、
各側部保持材は前記フォークリフト用ボックスを互いの間から開放する開放位置と互いの間に挟む保持位置との間で開閉可能に下端が各支持部に回転可能に取り付けられて前記開放位置に付勢されており、
さらに、各側部保持材の下端から前記保持位置の状態で対向する側部保持材の方向に突出し各支持部に沿って上部に前記フォークリフト用ボックスを配置可能な踏み部材を有することを、
特徴とする請求項１記載のフォークリフト用ボックスの保持器具。
【発明の詳細な説明】
【０００１】
【発明の属する技術分野】
本発明は、フォークリフト用ボックスの保持器具に関する。
【０００２】
【従来の技術】
従来の一般的なフォークリフト用ボックスは、底板と側板とを有し、側板側に開放した支持溝が底板に設けられ、側板側からフォークリフトのフォークを支持溝に挿入されて運搬に用いられる。しかし、従来のフォークリフト用ボックスでは、内部の搬送物をトラックの荷台や他の容器などに積み替えるとき、その荷台などの上まで持ち上げてひっくり返したり、中から搬送物を取り出して積み替えたりする必要があった。これらの作業は、作業者が人力で行うため、労力を要するという問題があった。そこで、この問題を解決するため、収納物を横方向に排出するようにし、フォークリフトを用いて搬送物の積み替えを容易にするボックスが提案されている（特許文献１参照）。
【０００３】
【特許文献１】
特開平１０−５３２９５号公報
【０００４】
【発明が解決しようとする課題】
しかしながら、特許文献１に記載のボックスを利用した場合でも、内部の搬送物を積み替えるとき、ボックスを斜めに傾けたり、ボックスから搬送物を掻き出したりする必要があり、作業者の労力を必要とするという課題があった。また、従来のフォークリフト用ボックスに代えて、特許文献１に記載のボックスを新たに購入する必要があるため、導入コストが嵩むという課題があった。
【０００５】
本発明は、このような従来の課題に着目してなされたもので、導入コストを抑えて、搬送物の積み替えを容易にすることができるフォークリフト用ボックスの保持器具を提供することを目的とする。
【０００６】
【課題を解決するための手段】
上記目的を達成するために、本発明に係るフォークリフト用ボックスの保持器具は、フォークリフトのフォークにより運搬可能なフォークリフト用ボックスの保持器具であって、基台と１対の側部保持材と操作部と１対のストッパと運動伝達部材とを有し、前記基台は１対の支持部と連結部とを有し、各支持部はフォークリフト用ボックスを支持可能な支持面を上部に有し前記フォークを互いの間に上方から配置可能な間隔をあけて設けられ、前記支持面と前記連結部との間の各支持部の互いに対向する側に前記フォークを厚さ方向で保持するフォーク保持用間隙を有し、前記連結部は各支持部を連結しており、各側部保持材は内側に前記フォークリフト用ボックスを配置可能な間隔をあけてそれぞれ各支持部から上方に伸びるよう設けられており、前記操作部は前記フォーク保持用間隙に面した前記支持部の側部から突出する方向に付勢されて突出し進退可能に設けられており、各ストッパは前記支持部の上に載せられた前記フォークリフト用ボックスの上縁の拘束位置と開放位置との間で移動可能に互いに対向する位置に設けられ、前記運動伝達部材は前記操作部と各ストッパとに接続され、常態で前記操作部が前記側部から突出しているとき各ストッパを前記開放位置に位置付け、各操作部が付勢力に抗して後退方向に移動するとき各ストッパを前記拘束位置に位置付ける構成を有することを、特徴とする。
【０００７】
本発明に係るフォークリフト用ボックスの保持器具は、フォークリフト用ボックスを運搬するために使用される。本発明に係るフォークリフト用ボックスの保持器具では、各側部保持材の内側の支持部の上にフォークリフト用ボックスを載せて運搬することができる。本発明に係るフォークリフト用ボックスの保持器具は、フォークの間隔を拡げたり狭めたりすることが可能なフォークリフトにより使用される。
【０００８】
フォークリフト用ボックスを運搬する場合には、各側部保持材の内側の支持部の上にフォークリフト用ボックスを載せ、１対の支持部の間にフォークリフトのフォークを挿入する。フォークの間隔を拡げて各フォーク保持用間隙にフォークを差し込む。このとき、各支持部の側面から突出している操作部は、差し込まれたフォークによって後退方向に押される。これにより、操作部に接続された運動伝達部材は、各ストッパをフォークリフト用ボックスの上縁の拘束位置に移動させる。
【０００９】
この状態で、フォークを上昇させ、本発明に係るフォークリフト用ボックスの保持器具を支持部で支持してフォークにより持ち上げる。このとき、フォークリフト用ボックスは、支持面で支持された状態で持ち上げられる。こうして、フォークリフト用ボックスを本発明に係るフォークリフト用ボックスの保持器具に載せたまま持ち上げ、運搬することができる。
【００１０】
本発明に係るフォークリフト用ボックスの保持器具は、フォークに平行な軸線を中心としてフォークを回転可能なフォークリフトにより使用されたとき、特にその効果を発揮する。
【００１１】
フォークリフト用ボックスの内部の搬送物をトラックの荷台や他の容器などに積み替える場合には、フォークリフト用ボックスを荷台や他の容器などの上方に運搬する。フォークを回転させて本発明に係るフォークリフト用ボックスの保持器具を基台が上側になるよう反転させる。このとき、本発明に係るフォークリフト用ボックスの保持器具は、フォーク保持用間隙によりフォークに保持されている。また、フォークリフト用ボックスは、各側部保持材および各ストッパにより、本発明に係るフォークリフト用ボックスの保持器具に保持されている。これにより、フォークリフト用ボックスの内部から搬送物を荷台や他の容器などに落とし、積み替えることができる。
【００１２】
搬送物の積替えが完了したならば、フォークを回転させ、フォークリフト用ボックスの保持器具を基台が下側になるよう元の状態に反転させて戻す。フォークを下げて本発明に係るフォークリフト用ボックスの保持器具を置く。フォークの間隔を狭めて各フォーク保持用間隙からフォークをはずし、各支持部の間まで移動させる。このとき、操作部は、フォークから開放され、付勢力によって突出する。これにより、操作部に接続された運動伝達部材は、各ストッパを開放位置に移動させて、フォークリフト用ボックスの上縁を開放する。
【００１３】
フォークを各支持部の間から上昇させ、フォークリフト用ボックスの底面を支持して持ち上げる。本発明に係るフォークリフト用ボックスの保持器具からフォークリフト用ボックスを移動し、他のフォークリフト用ボックスを載せて前述の工程を繰り返すことができる。
【００１４】
このように、本発明に係るフォークリフト用ボックスの保持器具は、フォークで保持して反転させることができるので、作業者の労力を必要とせず、搬送物の積み替えが容易である。また、既存のフォークリフト用ボックスを載せて利用することができるため、導入コストを削減することができる。
【００１５】
本発明において、各フォーク保持用間隙の間隔は、フォークの厚さとほぼ等しいか、やや大きいことが好ましい。また、各フォーク保持用間隙の内面には、フォークの保持力を高めるとともにガタツキを抑えるため、ゴムまたはウレタンなどの弾力性部材を設けてもよい。
【００１６】
さらに、本発明に係るフォークリフト用ボックスの保持器具は、前記フォークリフト用ボックスは底板と側板とを有し、前記底板に前記側板側からフォークリフトのフォークを挿入可能に前記側板側に開放した支持溝を有し、各支持部の間隔は前記支持面に前記フォークリフト用ボックスを載せたとき前記支持溝から前記フォークを前記支持面より低い位置まで下げて配置可能な間隔で形成され、各側部保持材は前記フォークリフト用ボックスを互いの間から開放する開放位置と互いの間に挟む保持位置との間で開閉可能に下端が各支持部に回転可能に取り付けられて前記開放位置に付勢されており、さらに、各側部保持材の下端から前記保持位置の状態で対向する側部保持材の方向に突出し各支持部に沿って上部に前記フォークリフト用ボックスを配置可能な踏み部材を有することが好ましい。
【００１７】
この場合、フォークリフト用ボックスを載せるには、フォークリフト用ボックスの底板の支持溝にフォークリフトのフォークを挿入した状態で、本発明に係るフォークリフト用ボックスの保持器具の支持面の上方まで運搬し、フォークを下げる。このとき、本発明に係るフォークリフト用ボックスの保持器具では、各側部保持材が開放位置にあるため、フォークリフト用ボックスを容易に各側部保持材の間に配置することができる。
【００１８】
フォークを下げると、各側部保持材の踏み部材は、フォークリフト用ボックスの底面により押し下げられる。フォークを支持面まで下ろすと、踏み部材は、上部にフォークリフト用ボックスを配置した状態で、各支持部に沿った位置まで下がる。各側部保持材は、踏み部材が各支持部に沿った位置まで下がるのに連動して、開放位置から保持位置まで回転してフォークリフト用ボックスを互いの間に挟む。こうして、本発明に係るフォークリフト用ボックスの保持器具にフォークリフト用ボックスを載せ、その側面を各側部保持材で保持することができる。
【００１９】
支持面にフォークリフト用ボックスを載せたならば、支持溝からフォークを支持面より低い位置まで下げる。フォークの間隔を拡げて各フォーク保持用間隙にフォークを差し込む。これにより、前述のとおり、各ストッパでフォークリフト用ボックスの上縁を拘束し、運搬や積み替えなどの作業を行うことができる。
【００２０】
フォークリフト用ボックスを移動するときは、フォークの間隔を狭めて各フォーク保持用間隙からフォークをはずし、各支持部の間まで移動させる。これにより、各ストッパからフォークリフト用ボックスの上縁を開放する。フォークを支持面より低い位置から各支持部の間で上昇させる。フォークをフォークリフト用ボックスの底面側から支持溝に挿入して、フォークリフト用ボックスを持ち上げる。このとき、踏み部材が開放されて、各側部保持材は付勢力によりフォークリフト用ボックスの上昇に連動して開放位置まで回転する。これにより、本発明に係るフォークリフト用ボックスの保持器具の各側部保持材の間から、フォークリフト用ボックスを容易に移動することができる。
【００２１】
【発明の実施の形態】
以下、図面に基づき、本発明の実施の形態について説明する。
図１乃至図３は、本発明の実施の形態のフォークリフト用ボックスの保持器具を示している。
フォークリフト用ボックスの保持器具１０は、フォークリフト用ボックス１を載せてフォークリフトのフォーク２により運搬可能な装置である。
【００２２】
フォークリフト用ボックス１は、長方形の底板３と側板４とを一体的に有し、直方体の箱状をなしている。フォークリフト用ボックス１は、底板３に支持溝５を有している。支持溝５は、正面または背面の側板４側からフォークリフトのフォーク２を挿入可能に側板４側に開放している。支持溝５は、正面または背面の側板４に対し垂直方向に底板３を横断するように伸びている。
フォークリフト用ボックスの保持器具１０は、基台１１と１対の側部保持材１２と１対の踏み部材１３と１対の操作部１４と１対のストッパ１５と１対の運動伝達部材１６とを有している。
【００２３】
基台１１は、１対の支持部２１と連結部２２とを有している。各支持部２１は、長方形の支持板２１ａを基板２１ｂの上方で間隔をあけて複数の支持材２１ｃにより支持して構成されている。支持板２１ａは、フォークリフト用ボックス１を支持可能な支持面２１ｄを上部に有し、間隔をあけて設けられている。各支持部２１の間隔は、フォーク２を互いの間に上方から配置可能であって、支持面２１ｄにフォークリフト用ボックス１を載せたとき支持溝５からフォーク２を支持面２１ｄより低い位置まで下げて配置可能な間隔で形成されている。各支持部２１は、支持面２１ｄと連結部２２との間の各支持部２１の互いに対向する側にフォーク保持用間隙２３を有している。各フォーク保持用間隙２３は、フォーク２を厚さ方向で保持する間隔を有している。各フォーク保持用間隙２３の間隔は、フォーク２の厚さとほぼ等しい。連結部２２は、２枚の細長い板から成り、各基板２１ｂの底部で各基板２１ｂを連結している。各連結部２２は、互いに中間部で補強板２２ａにより連結されている。連結部２２の底部には、移動を容易にするキャスター２４が取り付けられている。
【００２４】
各側部保持材１２は、３枚の板材３１を連結材３２で連結して成っている。各側部保持材１２は、内側にフォークリフト用ボックス１を配置可能な間隔をあけてそれぞれ各支持部２１から上方に伸びるよう設けられている。各側部保持材１２は、フォークリフト用ボックス１を互いの間から開放する開放位置と互いの間に挟む保持位置との間で開閉可能に下端１２ａが各支持部２１のフォーク保持用間隙２３側と反対側の外側端部に回転可能に取り付けられている。各側部保持材１２は、開放位置に付勢されている。
【００２５】
各踏み部材１３は、各側部保持材１２に対し垂直に固定されている。各側部保持材１２の下端１２ａから保持位置の状態で対向する側部保持材１２の方向に突出し各支持部２１に沿って上部にフォークリフト用ボックス１を配置可能となっている。
各操作部１４は、フォーク保持用間隙２３に面した支持部２１の側部から突出する方向に付勢されてフォーク保持用間隙２３側に突出し進退可能に設けられている。
【００２６】
各ストッパ１５は、支持板２１ａとほぼ同じ長さの細長い板状であって、各側部保持材１２の上縁１２ｂの外側に回転可能に取り付けられている。各ストッパ１５は、支持部２１の上に載せられたフォークリフト用ボックス１の上縁の拘束位置と開放位置との間で移動可能に互いに対向する位置に設けられている。
【００２７】
各運動伝達部材１６は、３本のリンク機構から成る。各リンク機構は、各板材３１の外側に沿って設けられ、操作部１４と各ストッパ１５とに接続されている。各リンク機構は、湾曲板２５と棒材２６とから成る。湾曲板２５は、一端２５ａが操作部１４のフォーク保持用間隙２３側と反対側の外側端部に回転可能に取り付けられ、中間の湾曲部２５ｂが支持部２１のフォーク保持用間隙２３側と反対側の外側端部に回転可能に取り付けられている。棒材２６は、下端２６ａが湾曲板２５の他端２５ｃに回転可能に取り付けられ、上端２６ｂが各ストッパ１５の外側の縁部に回転可能に取り付けられている。棒材２６は、中間部につば２６ｃを有し、つば２６ｃの上側にコイルバネ２７を有している。コイルバネ２７とストッパ１５との間の棒材２６の周囲には、重り２８がコイルバネ２７により支持されて取り付けられている。
【００２８】
これにより、運動伝達部材１６は、常態で操作部１４がフォーク保持用間隙２３に面した支持部２１の側部から突出しているとき各ストッパ１５を開放位置に位置付け、各操作部１４が付勢力に抗して後退方向に移動するとき棒材２６が上方に移動し、各ストッパ１５を回転させて拘束位置に位置付ける構成を有している。また、各操作部１４は、重り２８により、フォーク保持用間隙２３に面した支持部２１の側部から突出する方向に付勢されている。
【００２９】
次に、作用について説明する。
フォークリフト用ボックスの保持器具１０は、フォークリフト用ボックス１を運搬するために使用される。本発明に係るフォークリフト用ボックスの保持器具１０では、各側部保持材１２の内側の支持部２１の上にフォークリフト用ボックス１を載せて運搬することができる。フォークリフト用ボックスの保持器具１０は、フォーク２の間隔を拡げたり狭めたりすることが可能なフォークリフトにより使用される。
【００３０】
フォークリフト用ボックス１を運搬するとき、各側部保持材１２の内側の支持部２１の上にフォークリフト用ボックス１を載せる。まず、フォークリフト用ボックス１の底板３の支持溝５にフォークリフトのフォーク２を挿入した状態で、フォークリフト用ボックス１をフォークリフト用ボックスの保持器具１０の支持面２１ｄの上方まで運搬し、フォーク２を下げる。このとき、フォークリフト用ボックスの保持器具１０は、各側部保持材１２が開放位置にあるため、フォークリフト用ボックス１を容易に各側部保持材１２の間に配置することができる。
【００３１】
フォーク２を下げると、各側部保持材１２の踏み部材１３は、フォークリフト用ボックス１の底面により押し下げられる。フォーク２を支持面２１ｄまで下ろすと、踏み部材１３は、上部にフォークリフト用ボックス１を配置した状態で、各支持部２１に沿った位置まで下がる。各側部保持材１２は、踏み部材１３が各支持部２１に沿った位置まで下がるのに連動して、開放位置から保持位置まで回転してフォークリフト用ボックス１を互いの間に挟む。こうして、フォークリフト用ボックスの保持器具１０にフォークリフト用ボックス１を載せ、その側面を各側部保持材１２で保持することができる。
【００３２】
支持面２１ｄにフォークリフト用ボックス１を載せ、１対の支持部２１の間にフォークリフトのフォーク２を挿入したならば、支持溝５からフォーク２を支持面２１ｄより低い位置まで下げる。フォーク２の間隔を拡げて各フォーク保持用間隙２３にフォーク２を差し込む。このとき、各支持部２１の側面から突出している操作部１４は、差し込まれたフォーク２によって後退方向に押される。これにより、操作部１４に接続された運動伝達部材１６は、各ストッパ１５をフォークリフト用ボックス１の上縁の拘束位置に移動させる。
【００３３】
この状態で、フォーク２を上昇させ、フォークリフト用ボックスの保持器具１０を支持部２１で支持してフォーク２により持ち上げる。このとき、フォークリフト用ボックス１は、支持面２１ｄで支持された状態で持ち上げられる。こうして、フォークリフト用ボックス１をフォークリフト用ボックスの保持器具１０に載せたまま持ち上げ、運搬することができる。
【００３４】
フォークリフト用ボックスの保持器具１０は、フォーク２に平行な軸線を中心としてフォーク２を回転可能なフォークリフトにより使用されたとき、特にその効果を発揮する。
【００３５】
フォークリフト用ボックス１の内部の搬送物をトラックの荷台や他の容器などに積み替える場合には、フォークリフト用ボックス１を荷台や他の容器などの上方に運搬する。フォーク２を回転させてフォークリフト用ボックスの保持器具１０を基台１１が上側になるよう反転させる。このとき、フォークリフト用ボックスの保持器具１０は、フォーク保持用間隙２３によりフォーク２に保持されている。また、フォークリフト用ボックス１は、各側部保持材１２および各ストッパ１５により、フォークリフト用ボックスの保持器具１０に保持されている。これにより、フォークリフト用ボックス１の内部から搬送物を荷台や他の容器などに落とし、積み替えることができる。
【００３６】
搬送物の積替えが完了したならば、フォーク２を回転させ、フォークリフト用ボックスの保持器具１０を基台１１が下側になるよう元の状態に反転させて戻す。フォーク２を下げてフォークリフト用ボックスの保持器具１０を置く。フォーク２の間隔を狭めて各フォーク保持用間隙２３からフォーク２をはずし、各支持部２１の間まで移動させる。このとき、操作部１４は、フォーク２から開放され、付勢力によって突出する。これにより、操作部１４に接続された運動伝達部材１６は、各ストッパ１５を開放位置に移動させて、フォークリフト用ボックス１の上縁を開放する。
【００３７】
フォーク２を支持面２１ｄより低い位置から各支持部２１の間で上昇させる。フォーク２をフォークリフト用ボックス１の底面側から支持溝５に挿入して、フォークリフト用ボックス１を持ち上げる。このとき、踏み部材１３が開放されて、各側部保持材１２は付勢力によりフォークリフト用ボックス１の上昇に連動して開放位置まで回転する。これにより、フォークリフト用ボックスの保持器具１０の各側部保持材１２の間から、フォークリフト用ボックス１を容易に移動することができる。フォーク２に他のフォークリフト用ボックス１を載せて前述の工程を繰り返すことができる。
【００３８】
このように、フォークリフト用ボックスの保持器具１０は、フォーク２で保持して反転させることができるので、作業者の労力を必要とせず、搬送物の積み替えが容易である。また、既存のフォークリフト用ボックス１を載せて利用することができるため、導入コストを削減することができる。
【００３９】
【発明の効果】
本発明によれば、導入コストを抑えて、搬送物の積み替えを容易にするフォークリフト用ボックスの保持器具を提供することができる。
【図面の簡単な説明】
【図１】本発明の実施の形態のフォークリフト用ボックスの保持器具を示す正面図である。
【図２】図１のフォークリフト用ボックスの保持器具を示す側面図である。
【図３】図１のフォークリフト用ボックスの保持器具を示す平面図である。
【符号の説明】
１  フォークリフト用ボックス
１０  フォークリフト用ボックスの保持器具
１１  基台
１２  側部保持材
１３  踏み部材
１４  操作部
１５  ストッパ
１６  運動伝達部材
【図１】
2005001750.tif 000003
【図２】
2005001750.tif 000004
【図３】
2005001750.tif 000005